(57)【要約】【課題】光沢のムラおよび濃度のムラを抑制した、良好な印刷を行うことが可能な画像形成装置を提供すること。【解決手段】本発明に係る画像形成装置は、転写部材にトナー像を形成する現像手段と（図５、５０４）、記録紙に前記トナー像を転写する転写手段と（図５、５０５）、前記トナー像が転写された記録紙に熱印加する定着手段と（図５、５０６）、前記定着手段によりトナー像が定着された記録紙の光沢分布を取得する光沢分布取得手段と（図５、５０７）、前記光沢分布から、前記定着手段を制御する定着補正量と、前記現像手段において形成されるトナー像のトナー量を補正するトナー補正量とを決定する補正量決定手段と（図５、５０９）を備えたことを特徴とする。【選択図】図５
2015022055.tif 000002
【特許請求の範囲】
【請求項１】
転写部材にトナー像を形成する現像手段と、
記録紙に前記トナー像を転写する転写手段と、
前記トナー像が転写された記録紙に熱印加する定着手段と、
前記定着手段によりトナー像が定着された記録紙の光沢分布を取得する光沢分布取得手段と、
前記光沢分布から、前記定着手段を制御する定着補正量と、前記現像手段において形成されるトナー像のトナー量を補正するトナー補正量とを決定する補正量決定手段と
を備えたことを特徴とする画像形成装置。
【請求項２】
前記定着手段でトナー像が定着された記録紙の濃度分布を取得する濃度分布取得手段をさらに備え、
前記補正量決定手段は、前記光沢分布および前記濃度分布から、前記定着手段を制御する定着補正量と、前記現像手段において形成されるトナー像のトナー量を制御するトナー補正量とを決定することを特徴とする請求項１に記載の画像形成装置。
【請求項３】
前記光沢分布取得手段は、前記光沢分布から光沢ムラ評価値を算出し、
前記濃度分布取得手段は、前記濃度分布から濃度ムラ評価値を算出し、
前記補正量決定手段は、前記算出した光沢ムラ評価値が所定の閾値より大きく、かつ、前記算出した濃度ムラ評価値が所定の閾値より大きい場合に、前記定着手段における定着の熱量を大きくするよう定着補正量を決定することを特徴とする請求項２に記載の画像形成装置。
【請求項４】
前記光沢分布取得手段は、前記光沢分布から光沢ムラ評価値を算出し、
前記濃度分布取得手段は、前記濃度分布から濃度ムラ評価値を算出し、
前記補正量決定手段は、前記算出した光沢ムラ評価値が所定の閾値より大きく、かつ、前記算出した濃度ムラ評価値が所定の閾値以下である場合に、前記トナー量が少なくなるようトナー補正量を決定することを特徴とする請求項２に記載の画像形成装置。
【請求項５】
前記光沢分布取得手段は、前記光沢分布から光沢ムラ評価値を算出し、
前記濃度分布取得手段は、前記濃度分布から濃度ムラ評価値を算出し、
前記補正量決定手段は、前記算出した光沢ムラ評価値が所定の閾値以下であり、かつ、前記算出した濃度ムラ評価値が所定の閾値より大きい場合に、前記トナー量が多くなるようトナー補正量を決定することを特徴とする請求項２に記載の画像形成装置。
【請求項６】
前記光沢分布取得手段は、前記光沢分布から光沢平均値および光沢ムラ評価値を算出し、
前記補正量決定手段は、前記算出した光沢ムラ評価値が所定の閾値より大きく、かつ、前記算出した光沢平均値が所定の閾値以下である場合に、前記定着手段における定着の熱量を大きくするよう定着補正量を決定することを特徴とする請求項１に記載の画像形成装置。
【請求項７】
前記光沢分布取得手段は、前記光沢分布から光沢平均値および光沢ムラ評価値を算出し、
前記補正量決定手段は、前記算出した光沢ムラ評価値が所定の閾値より大きく、かつ、前記算出した光沢平均値が所定の閾値より大きい場合に、前記トナー量が少なくなるようトナー補正量を決定することを特徴とする請求項１に記載の画像形成装置。
【請求項８】
前記光沢分布取得手段は、前記光沢分布から光沢平均値および光沢ムラ評価値を算出し、
前記補正量決定手段は、前記算出した光沢ムラ評価値が所定の閾値以下であり、かつ、前記算出した光沢平均値が所定の閾値より小さい場合に、前記トナー量が多くなるようトナー補正量を決定することを特徴とする請求項１に記載の画像形成装置。
【請求項９】
転写部材にトナー像を形成する現像ステップと、
記録紙に前記トナー像を転写する転写ステップと、
前記トナー像が転写された記録紙に熱印加する定着ステップと、
前記定着ステップにおいてトナー像が定着された記録紙の光沢分布を取得する光沢分布取得ステップと、
前記光沢分布から、定着手段を制御する定着補正量と、前記現像ステップにおいて形成されるトナー像のトナー量を補正するトナー補正量とを決定する補正量決定ステップと
を備えたことを特徴とする画像形成方法。
【請求項１０】
コンピュータを、請求項１乃至８の何れか一項に記載の画像形成装置として機能させるための、プログラム。
【発明の詳細な説明】
【技術分野】
【０００１】
本発明は、画像形成装置、画像形成方法、およびプログラムに関する。具体的には、本発明は、電子写真方式の画像形成装置における印字制御量を決定するための技術を適用した、画像形成装置、画像形成方法、およびプログラムに関する。
【背景技術】
【０００２】
従来、電子写真方式の画像形成装置における定着後の画像を改善するための制御量を決定する方法として、特許文献１および特許文献２に示す技術が知られている。特許文献１に記載の技術では、定着後のトナー濃度を測定し、濃度に応じて定着温度を変更する。特許文献２に記載の技術では、印字部と、非印字部との光沢を測定し、それらを一致させるよう定着を制御する。
【先行技術文献】
【特許文献】
【０００３】
【特許文献１】特開平６−１６１１９６号公報
【特許文献２】特開２００４−２８００９７号公報
【発明の概要】
【発明が解決しようとする課題】
【０００４】
しかしながら、従来技術は、定着後の画像に発生する光沢のムラに着目したものではなく、光沢のムラを改善できないという課題がある。本発明は、この課題を鑑みてなされたものである。本発明は、光沢のムラおよび濃度のムラを抑制した良好な印刷画像を獲得するために、電子写真方式の画像形成装置の制御量を決定するための技術を適用した、画像形成装置、画像形成方法、およびプログラムを提供することを目的とする。
【課題を解決するための手段】
【０００５】
本願の請求項１に記載の発明は、転写部材にトナー像を形成する現像手段と、記録紙に前記トナー像を転写する転写手段と、前記トナー像が転写された記録紙に熱印加する定着手段と、前記定着手段によりトナー像が定着された記録紙の光沢分布を取得する光沢分布取得手段と、前記光沢分布から、前記定着手段を制御する定着補正量と、前記現像手段において形成されるトナー像のトナー量を補正するトナー補正量とを決定する補正量決定手段とを備えたことを特徴とする画像形成装置である。
【発明の効果】
【０００６】
本発明により、光沢のムラおよび濃度のムラを抑制した、良好な印刷を行うことが可能となる。
【図面の簡単な説明】
【０００７】
【図１】カラーレーザープリンタの構成を示すブロック図である。
【図２】光沢分布取得装置１０９の構成例を説明する図である。
【図３】濃度分布取得装置１１０の構成例を説明する図である。
【図４】濃度分布取得装置１１０の構成例を説明する図である。
【図５】実施例１の処理手段の構成を説明するブロック図である。
【図６】トナー補正量保持手段５１１にて保持される情報を説明する図である。
【図７】定着補正量保持手段５１０にて保持される情報を説明する図である。
【図８】画像処理手段５０２が実行する処理のフローチャートである。
【図９】トナー量の総和の変更前後の関係を示す１次元ルックアップテーブルを説明する図である。
【図１０】トナー補正量、定着補正量を決定する一連の処理のフローチャートである。
【図１１】チャート画像を説明する図である。
【図１２】ステップＳ１００２のフローチャートである。
【図１３】ステップＳ１００３のフローチャートである。
【図１４】ステップＳ１００４のフローチャートである。
【図１５】トナー層表面と、紙表面との状態を説明する図である。
【図１６】実施例２の処理手段の構成を説明するブロック図である。
【図１７】トナー補正量、定着補正量を決定する一連の処理のフローチャートである。
【図１８】ステップＳ１７０１のフローチャートである。
【図１９】ステップＳ１７０２のフローチャートである。
【発明を実施するための形態】
【０００８】
［実施例１］
図１は、本実施例におけるカラーレーザープリンタの構成例を示すブロック図である。カラーレーザープリンタは、像担持体としての感光ドラム１０１、帯電ローラ１０２、露光装置１０３、現像装置１０４、中間転写体１０５、定着装置１０８、２次転写体としての２次転写ベルト１０６、および給紙カセット１０７を備えている。感光ドラム１０１は、帯電ローラ１０２によって所定の電位に一様に帯電される。露光装置１０３は、印刷する画像データの画像信号が０の場合はレーザーを照射させず、画像信号が１の場合はレーザーを照射させることにより、画像信号の０、１に応じた静電現像を感光ドラム１０１上に形成する。現像装置１０４は、マゼンタ現像部と、シアン現像部と、イエロ現像部と、ブラック現像部とより構成され、４つの現像部が交互に感光ドラム１０１に接し、感光ドラム上に形成された静電現像をトナーで現像する。ここではレーザーを照射した画素にはトナーが付着し、レーザーを照射しなかった画素にはトナーが付着しないので、ドラム上に書き込まれた２値画像データに対応したトナー像が形成される。形成されたトナー像は、転写部材である中間転写体１０５に転写され、給紙カセット１０７から送られてきた２次転写ベルト１０６上の記録紙に転写される。定着装置１０８は、トナー像が転写された記録紙を、昇温した定着ローラ等で加圧し熱印加することでトナー像を定着させる。本実施例のカラーレーザープリンタは、上記電子写真の基本プロセスを担う装置群以外に、さらに光沢分布取得装置１０９および濃度分布取得装置１１０を備えている。
【０００９】
図２は、光沢分布取得装置１０９の構成例を説明する図である。光沢分布取得装置１０９は、ＣＣＤ、ＣＭＯＳ方式等のラインセンサ２０１、レンズ２０２、ＬＥＤや冷極陰蛍光管等の光源２０３、およびハーフミラー２０４を備えている。なお、図２中の符号２０５は、定着装置１０８にてトナーが定着された記録紙である。光源２０３から放射された光は、ハーフミラー２０４で反射し、記録紙２０５に照射される。記録紙２０５に照射された光は、記録紙２０５上で反射し、ハーフミラー２０４を透過し、レンズ２０２で集光され、ラインセンサ２０１上に結像される。ラインセンサ２０１上の各画素値は、記録紙２０５の搬送される速度に同期し、不図示のＲＡＭ等に出力される。このような構成とすることで、記録紙２０５の正反射の強さを示す光沢分布を、２次元画像データとして取得することができる。ただし、光沢分布取得装置１０９は、ここで説明した構成に限るものではない。例えば、記録紙２０５に対し、４５度の方向から光を照射し、照射された光が正反射する方向にラインセンサ２０１を備えるような構成など、正反射の強さを取得できる構成ならばどのようなものであってもよい。また、ラインセンサ２０１も、これに限らず、２次元のエリアセンサ、記録紙２０５の搬送方向に１次元の光量分布を取得するよう配置された受光素子等、１次元または２次元の光量分布を取得可能なものであればよい。
【００１０】
図３は、濃度分布取得装置１１０の構成例を説明する図である。濃度分布取得装置１１０は、図２と同様に、ラインセンサ２０１、レンズ２０２、ＬＥＤや冷極陰蛍光管等の光源３０３、およびミラー３０４を備えている。光源３０３から放射された光は、記録紙２０５に照射される。記録紙２０５上で正反射された光は、ミラー３０４上で反射し、記録紙２０５上に再び照射される。記録紙２０５上で拡散反射された光は、レンズ２０２で集光され、ラインセンサ２０１上に結像される。このような構成とすることで、正反射成分を含まない濃度分布を取得することができる。ただし、濃度分布取得装置１１０の構成は、ここで説明した構成に限るものではなく、記録紙２０５により拡散反射された光の１次元または２次元の強度分布を取得可能なものであればどのようなものであってもよい。
【００１１】
なお、濃度分布取得装置１１０は、拡散反射光の分布に限らず、記録紙２０５を透過する光の分布を取得するよう構成してもよい。図４は、このときの構成例を示す図である。図４を参照すると、光源４０３から放射された光は、記録紙２０５を透過し、レンズ２０２にて集光され、ラインセンサ２０１上に結像される。このように記録紙２０５の透過光を測定することにより、トナー濃度が濃く、拡散反射光の測定ではトナー付着量のバラツキがわかりづらい場合においても、より正確にトナー付着量のバラツキに応じた濃度分布を知ることが可能となる。また、より好適な実施として、透過用の光源４０３と、拡散反射用の光源３０３とを両方有するように濃度分布取得装置１１０を構成することもできる。
【００１２】
図５は、本実施例における画像形成装置が備える処理手段の構成を説明するブロック図である。まず、不図示のＰＣ（パーソナルコンピュータ）等から、画像入力手段５０１によって、印刷対象となる画像データが入力される。画像処理手段５０２では、入力された画像データを、本実施例のカラーレーザープリンタで出力可能な２値の画像信号に変換する。次に、２値の画像信号は、露光手段５０３、現像手段５０４、転写手段５０５、定着手段５０６において、図１を用いて既に説明した電子写真プロセスを経て、記録紙上に印刷される。光沢分布取得手段５０７は、光沢分布取得装置１０９を用いて定着後の記録紙の光沢分布を取得する。ここでは、光沢分布として、１チャンネル８ビットの画像データを想定するが、光沢分布はこれに限るものではない。同様に、濃度分布取得手段５０８は、濃度分布取得装置１１０を用いて、定着後の記録紙の濃度分布を取得する。濃度分布も光沢分布同様に、１チャンネル８ビットの画像データを想定するが、濃度分布はこれに限るものではない。補正量決定手段５０９は、光沢分布取得手段５０７および濃度分布取得手段５０８が取得した光沢分布および濃度分布からトナー補正量および定着補正量を決定する。決定されたトナー補正量および定着補正量は、不図示のＲＡＭやハードディスク等で構成されるトナー補正量保持手段５１１、定着補正量保持手段５１０にそれぞれ保存される。保存されたトナー補正量は、画像処理手段５０２によって参照され、保存された定着補正量は、定着手段５０６によって参照され、記録紙の識別に応じてトナー量および定着を制御するパラメータが適切に補正された状態で印刷される。
【００１３】
図６は、トナー補正量保持手段５１１にて保持される情報を説明する図であり、図７は、定着補正量保持手段５１０にて保持される情報を説明する図である。図６、図７における「用紙識別名」は、ユーザが不図示のユーザインタフェースを用いて入力可能な記録紙のＩＤである。図６、図７における「用紙種別」は、厚手や薄手、コート紙やノンコート紙等の記録紙のカテゴリであり、ユーザが用紙識別名に応じて適切なものを選択し登録する。画像処理手段５０２および定着手段５０６は、この用紙種別ごとにあらかじめ設定された印刷のパラメータを保持しており、さらに、用紙識別名ごとに保存されている各補正量に応じて印刷のパラメータの補正を行う。図６における「トナー補正量」は、画像処理手段５０２において保持されている印刷のパラメータを補正するための情報である。トナー補正量保持手段５１１は、トナー補正量として例えば１次色、２次色、３次色、４次色における補正量を保持している。なお、印刷のパラメータおよびその補正方法に関しては後述する。
【００１４】
また、図７における「定着補正量」は、定着手段５０６において保持されている印刷のパラメータを補正するための情報である。定着補正量保持手段５１０は、定着補正量として例えば、温度、速度、圧力に対する補正量を保持している。定着手段５０６は、用紙種別に応じてあらかじめ決定される定着の温度、速度、圧力等に対し、さらに用紙識別名ごとに決められる補正量で各量を補正し、前記補正された各量となるよう定着装置１０８を制御し、印刷を行う。一般に、電子写真プロセスにおいて、定着の温度、速度、圧力をセンシングし、制御する技術は公知である。したがって、定着装置１０８における具体的な定着方式と、定着装置１０８の制御方法とに関する詳細な説明は省略する。定着装置１０８は、熱および圧力を記録紙に対し加えることによってトナー像を定着させ、定着の熱量、温度、圧力をセンシングし、これらを制御可能なものであればどのようなものであってもよい。また、定着装置１０８の制御に適した補正量が、定着補正量として保持されるよう構成することが望ましい。
【００１５】
図８は、画像処理手段５０２が実行する処理のフローチャートである。画像処理手段５０２は、前述したように、入力された画像データを、本実施例のカラーレーザープリンタで出力可能な２値の画像信号に変換する。なお、本実施例においては、入力される画像データは、Ｃ、Ｍ、Ｙ、Ｂｋの４プレーンを有する各８ビットの多値画像データを想定して説明するが、本発明に係る入力される画像データは、これに限定されない。
【００１６】
図８において、ステップＳ８０１は、ガンマ補正を行うガンマ補正工程である。ステップＳ８０１において、画像処理手段５０２は、入力された４プレーン多値の画像信号値を、カラーレーザープリンタの対応する各色のトナー量を示す４プレーン多値のトナー量制御信号値に変換する。より具体的には、Ｃ、Ｍ、Ｙ、Ｂｋの各色において、入力信号値に対するトナー量制御信号値を示した１次元ルックアップテーブルをあらかじめ用紙種別ごとに用意しておき、画像処理手段５０２は、この１次元ルックアップテーブルを参照することで変換を行う。なお、この処理は１次元ルックアップテーブルに限らず、４次元ルックアップテーブル等、さまざまな形態をとることが可能である。
【００１７】
ステップＳ８０２は、トナー量変更位置決定工程である。ステップＳ８０２において、画像処理手段５０２は、ステップＳ８０１にて変換されたトナー量制御信号値に対し、さらにトナー補正量で指定された補正を加える画像中の位置を決定する。定着後の画像のムラは、一般に細かいテクスチャ部では認知しにくく、低周波な均一濃度部で認知しやすい。そこで、ステップＳ８０２では、まず、各プレーンのトナー量制御信号値の総和をとったトナー量画像データを生成し、所定のローパスフィルタ処理を行うことにより空間周波数の低周波成分を抽出した画像データを取得する。次に、前記低周波成分を抽出した画像データに対して閾値処理を施すことで、前記低周波成分を抽出した画像データを、信号値が所定の閾値以上の領域を１、それ以外の領域を０とする１ビット２値の画像データに変換する。後述するトナー量調整工程（ステップＳ８０３）では、この画像データにおける値が１の領域のみ、トナー量制御信号値を変更する。なお、トナー量変更位置決定工程（ステップＳ８０２）の処理はこれに限るものではなく、例えば、補正領域をユーザが指定する、あるいは、全ての領域で一様にトナー量を変更するようにするなど、様々な構成をとることが可能である。
【００１８】
ステップＳ８０３は、トナー量調整工程である。ステップＳ８０３において、画像処理手段５０２は、トナー補正量保持手段５１１に保持される用紙識別名ごとの補正量を参照して、トナー量制御信号値を変更する。具体的には、画像処理手段５０２は、各プレーンのトナー量制御信号値の総和をとったトナー量画像データを、トナー量の総和の変更前後の関係を示す１次元ルックアップテーブルを参照することで、トナー量変更後のトナー量画像データに変換する。次に、画像処理手段５０２は、各プレーンのトナー量制御信号値における各色の比率を保ったまま、トナー量制御信号値の総和が変更後のトナー量画像データと一致するよう各プレーンのトナー量制御信号値を変更する。図９は、トナー量の総和の変更前後の関係を示す１次元ルックアップテーブルを説明する図である。図６に示したトナー補正量保持手段５１１に保持される補正量は、１次色、２次色、３次色、４次色に対する補正量である。トナー量調整工程（ステップＳ８０３）では、トナー補正量保持手段５１１に保持される補正量の内１次色の補正量をトナー量の１００％に、２次色の補正量をトナー量の２００％にと、それぞれ適用し、図９の点９０１〜９０４に示した４つの対応を決定する。次に、これらの点を線形補間またはスプライン補間等の方法を用いて補間することで、トナー量の総和の変更前後の関係を示す１次元ルックアップテーブルを作成する。なお、ここで説明した１００％や２００％等の数値は、トナー量制御信号値の１次色の最大値を１００％として相対的に示したものである。
【００１９】
次に、用紙識別名ごとにトナー補正量、定着補正量を決定する一連の処理を図１０のフローチャートを用いて説明する。
【００２０】
図１０において、ステップＳ１００１は、トナー補正量、定着補正量を決定するために必要なチャート画像を用紙識別名に対応する記録紙に印字する工程である。図１１は、このチャート画像のレイアウトを説明する図である。図１１を参照すると、記録紙１１０１上に、１次色印字部１１０２と、２次色印字部１１０３と、３次色印字部１１０４と、４次色印字部１１０５とがある。印字部１１０２〜１１０５にはそれぞれ、対応する均一なトナー量制御信号値を有する画像データが印刷されている。Ｃ、Ｍ、Ｙ、Ｂｋの内、どの色材を１次色印字部１１０２に、どの色材の組み合わせを２〜４次色の印字部１１０３〜１１０５に印字するかは任意に決定できる。１次色印字部１１０２には、トナー量制御信号値の１次色の最大値である１００％の均一なトナー量制御信号値の画像データを印刷する。また、同様に、２次色印字部１１０３には２００％の、３次色印字部１１０４には３００％の、４次色印字部１１０５には４００％の、それぞれ均一なトナー量制御信号値の画像データを印刷する。
【００２１】
ステップＳ１００２は、光沢分布取得手段５０７にて光沢ムラ評価値を算出する工程である。具体的には、この工程において、ステップＳ１００１で印刷されたチャート画像の領域１１０２〜１１０５を光沢分布取得装置１０９にてスキャンすることで画像データを取得し、その取得した画像データから光沢ムラ評価値を算出する。図１２は、このステップＳ１００２における処理の流れを説明するフローチャートである。まず、ステップＳ１２０１において、光沢分布取得装置１０９にてチャート画像をスキャンし、４つの領域１１０２〜１１０５における画像データを取得する。次に、ステップＳ１２０２において、各画像データを離散フーリエ変換（ＤＦＴ）し、各空間周波数に対するパワースペクトルを求め空間周波数画像データとして保持する。次に、ステップＳ１２０３において、光沢ムラの空間周波数の範囲を設定する。光沢ムラの空間周波数の範囲は、あらかじめ用紙種別に応じて決定されたものが不図示のＲＯＭ等に保持されており、これを読み出すことで、光沢ムラの空間周波数の範囲を設定する。なお、ステップＳ１２０３の処理はこれに限るものではなく、例えば、ユーザインタフェースを用いてユーザが光沢ムラの空間周波数の範囲を指定するようにしてもよい。最後に、ステップＳ１２０４において、ステップＳ１２０２にて算出した各空間周波数画像データに関して、ステップＳ１２０３で設定した空間周波数の範囲のパワースペクトルの和を算出し、算出した和を光沢ムラ評価値とする。
【００２２】
ステップＳ１００３は、濃度分布取得手段５０８にて濃度ムラ評価値を算出する工程である。具体的には、この工程において、ステップＳ１００１で印刷されたチャート画像の領域１１０２〜１１０５を濃度分布取得装置１１０にてスキャンすることで画像データを取得し、その取得した画像データから濃度ムラ評価値を算出する。図１３は、このステップＳ１００３における処理の流れを説明するフローチャートである。まず、ステップＳ１３０１において、濃度分布取得装置１１０にてチャート画像をスキャンし、４つの領域１１０２〜１１０５における画像データを取得する。次に、ステップＳ１３０２において、各画像データを離散フーリエ変換し、各空間周波数に対するパワースペクトルを求め空間周波数画像データとして保持する。次に、ステップＳ１３０３において、ステップＳ１３０１にて取得した画像データの平均画素値を濃度に換算した濃度平均値を算出する。具体的には、ステップＳ１３０２で取得した空間周波数画像データの直流成分の値を、最大値（８ビット画像データならば２５５）で割ったものの対数をとり、−１を乗じたものを、濃度平均値として不図示のＲＡＭ等に保持する処理を行う。この濃度平均値は、後で説明する印字パラメータ調整工程（ステップＳ１００４）にて、印字パラメータの調整により過度に濃度が薄く印字されてしまわないよう、補正量をチェックするために利用される。次に、ステップＳ１３０４において、濃度ムラの空間周波数の範囲を設定する。前述したステップＳ１２０３と同様に、濃度ムラの空間周波数の範囲は、あらかじめ用紙種別に応じて決定されたものが不図示のＲＯＭ等に保持されており、これを読み出すことで、濃度ムラの空間周波数の範囲を設定する。最後に、ステップＳ１３０５において、ステップＳ１３０２にて算出した各空間周波数画像データに関して、ステップＳ１３０４で設定した空間周波数の範囲のパワースペクトルの和を算出し、算出した和を濃度ムラ評価値とする。
【００２３】
ステップＳ１００４は、ステップＳ１００２、Ｓ１００３にて求めた光沢ムラ評価値、濃度ムラ評価値にもとづき、印字パラメータであるトナー補正量、定着補正量を決定する印字パラメータ調整工程である。図１４は、ステップＳ１００４のフローチャートである。まず、ステップＳ１４０１において、光沢ムラ評価値が所定の閾値ＴＨｇより大きいか否かを判定し、処理を分岐する。光沢ムラ評価値が所定の閾値ＴＨｇより大きいと判定された場合、ステップＳ１４０２に進み、ステップＳ１４０２において、濃度ムラ評価値が所定の閾値ＴＨｄより大きいか否かを判定する。ステップＳ１４０２において、濃度ムラ評価値が所定の閾値ＴＨｄより大きいと判定された場合は、ステップＳ１４０４に進み、ステップＳ１４０４において、定着温度が高くなるよう温度に対する定着補正量を所定量増加させる。また、ステップＳ１４０２において、濃度ムラ評価値が所定の閾値以下（ＴＨｄ以下）であると判定された場合は、ステップＳ１４０５に進み、ステップＳ１４０５において、トナー量を削減するようトナー補正量を所定量削減する。また、ステップＳ１４０１において、光沢ムラ評価値が閾値ＴＨｇ以下と判定された場合には、ステップＳ１４０３に進み、ステップＳ１４０３において、濃度ムラ評価値が所定の閾値ＴＨｄより大きいか否かを判定する。ステップＳ１４０３において、濃度ムラ評価値が閾値ＴＨｄより大きいと判定された場合は、ステップＳ１４０６に進み、ステップＳ１４０６において、トナー量を増加させるようトナー補正量を所定量増加する。ステップＳ１４０３において、濃度ムラ評価値が閾値ＴＨｄ以下と判定された場合は、トナー補正量、定着補正量を決定する一連の処理を終了すべくステップＳ１４０９にて終了フラグを点灯する。また、ステップＳ１４０４、Ｓ１４０５、Ｓ１４０６にてトナー補正量または定着補正量が変更された場合、ステップＳ１４０７において、各補正量のチェックを行う。具体的には、ステップＳ１３０３にて算出した濃度平均値が所定の値より小さくなった場合はＮＧと判定する。また、定着温度があらかじめ設定された所定の範囲に含まれない場合に、ＮＧと判定する。さらに、トナー補正量が所定の値より大きくなった場合に、ＮＧと判定する。ステップＳ１４０７においてＮＧと判定された場合は、ステップＳ１４０４、Ｓ１４０５、Ｓ１４０６にて決定した補正量を適用しないようにし、処理を終了すべくステップＳ１４０９に進む。ステップＳ１４０７にてＮＧと判定されなかった場合は、ステップＳ１４０４、Ｓ１４０５、Ｓ１４０６にて決定した補正量を適用すべく、ステップＳ１４０８に進む。ステップＳ１４０８において、図６、図７で示したトナー補正量保持手段５１１、定着補正量保持手段５１０で保持される情報の該当箇所の値を変更する。
【００２４】
ここで、図１５を用いて、トナー層表面および紙表面の状態と、光沢ムラ評価値、濃度ムラ評価値との関係を説明する。図１５は、トナーが付着した記録紙の断面図を模式的に示した図である。図１５（ａ）は、紙表面に凹凸に応じて均一な厚さでトナー層が形成された良好な状態を示している。このような場合は、光沢ムラ評価値と、濃度ムラ評価値とは共に小さい値となるため、ステップＳ１４０９にて終了フラグを点灯させ、トナー量の補正および定着制御パラメータの補正を行なわないようにする。図１５（ｂ）は、定着不良のため、紙表面が露出した状態を示している。このような場合は、光沢ムラ評価値と、濃度ムラ評価値とは共に大きな値となるため、ステップＳ１４０４にて定着の熱量があがる（定着温度を上げる、または定着速度を下げる）、または定着の圧力を大きくするよう補正量を決定する。図１５（ｃ）は、トナーが定着されているが、トナー量が少ない状態を示している。このような場合は、トナーが定着されているため、トナー層が平滑となり光沢ムラ評価値は小さくなるものの、トナー層が薄いため、紙面の凹凸に応じた濃度ムラが大きくなることから、濃度ムラ評価値は大きくなる。そのため、ステップＳ１４０６にてトナー量を増やすよう補正量を決定する。図１５（ｄ）は、トナー層が厚く、定着により紙が凸の場所でトナー層の凹凸が潰されて平坦になった状態を示している。このような場合は、トナー層が平坦になった領域でのみ光沢が強くなるため光沢ムラは大きくなり、光沢ムラ評価値が大きくなる。また、トナー層が充分な厚みを持っているため濃度ムラが小さくなり、濃度ムラ評価値は小さくなる。そのため、ステップＳ１４０５において、トナー層を薄くするよう補正量を決定する。
【００２５】
ステップＳ１００５は、ステップＳ１４０９にて終了フラグが点灯されているか否かを判定する工程である。終了フラグが点灯されていると判定された場合は、処理を終了する。終了フラグが点灯されていないと判定された場合は、再度、チャート画像印字ステップＳ１００１に戻り、チャート画像の印刷を行い、トナー補正量、定着補正量を決定する一連の処理（ステップＳ１００２〜Ｓ１００４）を繰り返す。このように処理を繰り返すことにより、新規の記録紙であっても、定着後の紙面と、トナー層との関係が図１５（ａ）の理想状態に近い状態で印刷されるよう印字パラメータを補正することが可能となる。
【００２６】
［実施例２］
本実施例においては、濃度分布取得装置１１０を用いず、光沢分布取得装置１０９のみを用いてトナー補正量、定着補正量を決定するカラーレーザープリンタを説明する。本実施例のカラーレーザープリンタの構成は、実施例１で説明した図１の構成から、濃度分布取得装置１１０を除いたものであり、その他の構成は同一であるため説明を省略する。図１６は、本実施例における画像形成装置が備える処理手段の構成を示すブロック図である。実施例１で説明した構成（図５を参照）と異なるところは、濃度分布取得手段５０８を有していないことである。また、本実施例では、トナー量の補正を露光手段１６０２で行うよう構成した。そのため、画像処理手段１６０１、露光手段１６０２、トナー補正量保持手段１６０３、補正量決定手段１６０４の処理が実施例１で説明したものと異なる。以下、本実施例における処理手段が実行する処理について、実施例１と相違する点を中心に説明する。
【００２７】
本実施例では、画像処理手段においてトナー量を補正しないため、画像処理手段１６０１は、図８で説明した一連の処理からステップＳ８０２、Ｓ８０３を割愛した処理を行う。露光手段１６０２は、露光装置１０３のレーザー強度を調整することで感光ドラム上に現像されるトナー量を調整することができる。したがって、トナー補正量保持手段１６０３に保持されるトナー補正量としては、レーザー強度の補正量が記録される。
【００２８】
図１７は、本実施例におけるトナー補正量、定着補正量を決定する一連の処理のフローチャートである。まず、ステップＳ１００１において、チャート画像を印字する。次に、ステップＳ１７０１において、光沢分布取得手段５０７にて、光沢ムラ評価値を算出する。次に、ステップＳ１７０２において、補正量決定手段１６０４にて、ステップＳ１７０１で算出した光沢ムラ評価値および光沢平均値を参照してトナー補正量、定着補正量を決定する。最後に、ステップＳ１００５において、ステップＳ１７０２で終了フラグが点灯したか否かを判定する。終了フラグが点灯した場合は処理を終了し、終了フラグが点灯していない場合は、ステップＳ１００１に戻り、処理を繰り返す。
【００２９】
図１８は、ステップＳ１７０１のフローチャートである。図１２を用いて説明したステップＳ１００２と異なるところは、光沢平均値を算出するステップＳ１８０１の工程を備えることである。この工程では、ステップＳ１２０２で取得した空間周波数画像データの直流成分の値を、最大値（８ビット画像データならば２５５）で正規化したものを光沢平均値として不図示のＲＡＭ等に保持する処理を行う。
【００３０】
図１９は、ステップＳ１７０２のフローチャートである。まず、ステップＳ１４０１において、光沢ムラ評価値が所定の閾値ＴＨｇより大きいか否かを判定し、処理を分岐する。光沢ムラ評価値が所定の閾値ＴＨｇより大きいと判定された場合、ステップＳ１９０１に進み、ステップＳ１９０１において、光沢平均値が所定の閾値ＴＨａｖｅより大きいか否かを判定する。ステップＳ１９０１において、光沢平均値が所定の閾値ＴＨａｖｅ以下であると判定された場合は、ステップＳ１４０４に進み、ステップＳ１４０４において、定着温度が高くなるよう温度に対する定着補正量を所定量増加させる。また、ステップＳ１９０１において、光沢平均値が閾値ＴＨａｖｅより大きいと判定された場合は、ステップＳ１９０３に進み、ステップＳ１９０３において、トナー量を削減するようトナー補正量であるレーザー強度を所定量減衰させる。また、ステップＳ１４０１において、光沢ムラ評価値が閾値ＴＨｇ以下と判定された場合には、ステップＳ１９０２に進み、ステップＳ１９０２において、光沢平均値が所定の閾値ＴＨａｖｅより小さいか否かを判定する。ステップＳ１９０２において、光沢平均値が所定の閾値ＴＨａｖｅより小さいと判定された場合は、ステップＳ１９０４に進み、ステップＳ１９０４において、トナー量を増加させるようレーザー強度を所定量強くする。ステップＳ１９０２において、光沢平均値が閾値ＴＨａｖｅ以上と判定された場合は、トナー補正量、定着補正量を決定する一連の処理を終了すべくステップＳ１４０９にて終了フラグを点灯する。また、ステップＳ１４０４、Ｓ１９０３、Ｓ１９０４にてトナー補正量または定着補正量が変更された場合、ステップＳ１９０５において、各補正量のチェックを行う。具体的には、定着温度があらかじめ設定された所定の範囲に含まれない場合に、ＮＧと判定する。また、レーザー強度があらかじめ設定された所定の範囲に含まれない場合にも、ＮＧと判定する。ステップＳ１９０５においてＮＧと判定された場合は、ステップＳ１４０４、Ｓ１９０３、Ｓ１９０４にて決定した補正量を適用しないようにし、処理を終了すべくステップＳ１４０９に進む。ステップＳ１９０５においてＮＧと判定されなかった場合は、ステップＳ１４０４、Ｓ１９０３、Ｓ１９０４にて決定した補正量を適用すべく、ステップＳ１４０８に進む。ステップＳ１４０８において、トナー補正量保持手段５１１、定着補正量保持手段５１０で保持される情報の該当箇所の値を変更する。
【００３１】
ここで、図１５を用いて、トナー層表面および紙表面の状態と、光沢平均値、光沢ムラ評価値との関係を説明する。図１５（ａ）は、紙表面に凹凸に応じて均一にトナー層が形成された良好な状態を示している。このような場合は、光沢ムラ評価値は小さく、光沢平均値は大きい値となるため、ステップＳ１４０９にて終了フラグを点灯させ、トナー量の補正および定着制御パラメータの補正を行なわないようにする。図１５（ｂ）は、定着不良のため、紙表面が露出した状態を示している。このような場合は、光沢ムラ評価値は大きな値となり、光沢平均値は小さな値となるため、ステップＳ１４０４にて定着の熱量があがる（定着温度を上げる、または定着速度を下げる）、または定着の圧力を大きくするよう補正量を決定する。図１５（ｃ）は、トナーが定着されているが、トナー量が少ない状態を示している。このような場合は、トナーが定着されているため、トナー層が平滑となり光沢ムラ評価値は小さくなる一方で、光沢平均値は比較的小さくなる。そのため、ステップＳ１９０４にてトナー量を増やすよう補正量を決定する。図１５（ｄ）は、トナー層が厚く、定着により紙が凸の場所でトナー層の凹凸が潰されて平坦になった状態を示している。このような場合は、トナー層が平坦になった領域でのみ光沢が強くなるため光沢ムラは大きくなり、光沢ムラ評価値が大きくなる。また、トナー層が平坦な部分で光沢が大きくなるため、光沢平均値は比較的大きな値となる。そのため、ステップＳ１９０３において、トナー層を薄くするよう補正量を決定する。
【００３２】
このように、濃度分布取得装置１１０を用いず、光沢分布取得装置１０９のみを用いた場合でも、精度は落ちるもののトナー補正量、定着補正量を決定することが可能となる。また、トナー量の調整に関しても、実施例１で説明した画像処理手段５０２によって行うだけでなく、ここで説明した露光手段１６０２によって露光装置１０３のレーザー強度を調整するように構成してもよい。なお、トナー量の調整は、現像手段５０４の現像バイアスの電圧を調整する、あるいは、トナーの帯電量を測定するセンサを用いてトナーの帯電量を調整するよう構成することによって、行ってもよい。また、定着を補正するために、定着温度に限らず、定着の速度や圧力などを補正するよう構成することは容易である。
【００３３】
［その他の実施例］
また、本発明の目的は、以下の処理を実行することによっても達成される。即ち、上述した実施例の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出す処理である。この場合、記憶媒体から読み出されたプログラムコード自体が前述した実施例の機能を実現することになり、そのプログラムコード及び該プログラムコードを記憶した記憶媒体は本発明を構成することになる。
【図１】
2015022055.tif 000003
【図２】
2015022055.tif 000004
【図３】
2015022055.tif 000005
【図４】
2015022055.tif 000006
【図５】
2015022055.tif 000007
【図６】
2015022055.tif 000008
【図７】
2015022055.tif 000009
【図８】
2015022055.tif 000010
【図９】
2015022055.tif 000011
【図１０】
2015022055.tif 000012
【図１１】
2015022055.tif 000013
【図１２】
2015022055.tif 000014
【図１３】
2015022055.tif 000015
【図１４】
2015022055.tif 000016
【図１５】
2015022055.tif 000017
【図１６】
2015022055.tif 000018
【図１７】
2015022055.tif 000019
【図１８】
2015022055.tif 000020
【図１９】
2015022055.tif 000021